(57)【特許請求の範囲】
【請求項１】
サーバと、モバイル位置センタ（ＭＰＣ）と、ホーム位置レジスタ（ＨＬＲ）と、位置決定装置（ＰＤＥ）とを含む移動通信網を介して、位置情報取得対象の移動局（ＭＳ）のＧＰＳに基づく位置情報をＤＢＭ方式又はＴＣＰ／ＩＰ方式を選択的に使用して取得し、位置情報取得要求を発した端末機に提供する方法において、
前記位置情報の提供を受けるために、前記位置情報取得要求を発した端末機が前記サーバに接続するステップと、
前記サーバが、ＤＢＭ方式又はＴＣＰ／ＩＰ方式のいずれを使用して前記位置情報取得対象の移動局（ＭＳ）の位置情報を取得するかを決定するステップと、
前記サーバが、ＴＣＰ／ＩＰ方式の使用を決定した場合は、前記位置情報取得対象の移動局（ＭＳ）へ前記位置決定装置（ＰＤＥ）のＵＲＬを送信し、その後ＴＣＰ／ＩＰ方式を使用する旨の信号を前記モバイル位置センタ（ＭＰＣ）へ送信し、ＤＢＭ方式の使用を決定した場合は、ＤＢＭ方式を使用する旨の信号を前記モバイル位置センタ（ＭＰＣ）へ送信するステップと、
前記モバイル位置センタ（ＭＰＣ）が、前記ホーム位置レジスタ（ＨＬＲ）に前記位置情報取得対象の移動局（ＭＳ）に関する情報を要求する信号を送信し、その応答を受信するステップと、
応答を受信した前記モバイル位置センタ（ＭＰＣ）が、前記位置決定装置（ＰＤＥ）へ所定の情報を含む情報を送信するステップと、
前記位置決定装置（ＰＤＥ）が、前記サーバが使用を決定した方式によって前記位置情報取得対象の移動局（ＭＳ）の位置情報を当該移動局（ＭＳ）から取得するステップと、  前記位置決定装置（ＰＤＥ）が、取得した前記位置情報取得対象の移動局（ＭＳ）の位置情報を前記モバイル位置センタ（ＭＰＣ）を経て前記サーバへ送信するステップと
を含むことを特徴とするＤＢＭ方式又はＴＣＰ／ＩＰ方式を選択的に使用する位置情報提供方法。
【請求項２】
サーバと、モバイル位置センタ（ＭＰＣ）と、ホーム位置レジスタ（ＨＬＲ）と、位置決定装置（ＰＤＥ）とを含む移動通信網を介して、位置情報取得対象の移動局（ＭＳ）のＧＰＳに基づく位置情報をＤＢＭ方式又はＴＣＰ／ＩＰ方式を選択的に使用して取得し、位置情報取得要求を発した端末機に提供する方法において、
前記位置情報の提供を受けるために、前記位置情報取得要求を発した端末機が前記サーバに接続するステップと、
前記サーバが、ＤＢＭ方式又はＴＣＰ／ＩＰ方式のいずれを使用して前記位置情報取得対象の移動局（ＭＳ）の位置情報を取得するかを決定するステップと、
前記サーバが、ＴＣＰ／ＩＰ方式の使用を決定した場合は、ＴＣＰ／ＩＰ方式を使用する旨の信号を前記モバイル位置センタ（ＭＰＣ）へ送信し、その後前記位置情報取得対象の移動局（ＭＳ）へ前記位置決定装置（ＰＤＥ）のＵＲＬを送信し、ＤＢＭ方式の使用を決定した場合は、ＤＢＭ方式を使用する旨の信号を前記モバイル位置センタ（ＭＰＣ）へ送信するステップと、
前記モバイル位置センタ（ＭＰＣ）が、前記ホーム位置レジスタ（ＨＬＲ）に前記位置情報取得対象の移動局（ＭＳ）に関する情報を要求する信号を送信し、その応答を受信するステップと、
応答を受信した前記モバイル位置センタ（ＭＰＣ）が、前記位置決定装置（ＰＤＥ）へ所定の情報を含む情報を送信するステップと、
前記位置決定装置（ＰＤＥ）が、前記サーバが使用を決定した方式によって前記位置情報取得対象の移動局（ＭＳ）の位置情報を当該移動局（ＭＳ）から取得するステップと、  前記位置決定装置（ＰＤＥ）が、取得した前記位置情報取得対象の移動局（ＭＳ）の位置情報を前記モバイル位置センタ（ＭＰＣ）を経て前記サーバへ送信するステップと
を含むことを特徴とするＤＢＭ方式又はＴＣＰ／ＩＰ方式を選択的に使用する位置情報提供方法。
【請求項３】
前記位置情報取得要求を発した端末機は、ＷＡＰ方式によって前記サーバに接続することが可能な移動電話機，ＰＤＡ、又はそれらに準ずる方式によって前記サーバに接続することが可能な端末機であることを特徴とする請求項１又は２に記載のＤＢＭ方式又はＴＣＰ／ＩＰ方式を選択的に使用する位置情報提供方法。
【請求項４】
前記サーバがＤＢＭ方式又はＴＣＰ／ＩＰ方式のいずれを使用して前記位置情報取得対象の移動局（ＭＳ）の位置情報を取得するかを決定するステップは、
前記位置情報取得要求を発した端末機と位置情報取得対象の移動局（ＭＳ）とが同一である場合はＴＣＰ／ＩＰ方式を使用すると決定し、両者が同一でない場合はＤＢＭ方式を使用すると決定することを特徴とする請求項１又は２に記載のＤＢＭ方式又はＴＣＰ／ＩＰ方式を選択的に使用する位置情報提供方法。
【請求項５】
前記サーバがＴＣＰ／ＩＰ方式を使用すると決定した場合に前記位置情報取得対象の移動局（ＭＳ）へ前記位置決定装置（ＰＤＥ）のＵＲＬを送信するステップは、
前記サーバが前記位置情報取得要求を発した端末機との間に既に設定されたＷＡＰ方式により前記位置決定装置（ＰＤＥ）のＵＲＬを送信することを特徴とする請求項４に記載のＤＢＭ方式又はＴＣＰ／ＩＰ方式を選択的に使用する位置情報提供方法。
【請求項６】
前記サーバがＴＣＰ／ＩＰ方式を使用すると決定した場合に前記位置情報取得対象の移動局（ＭＳ）へ前記位置決定装置（ＰＤＥ）のＵＲＬを送信するステップは、
前記サーバがショートメッセージサービス（ＳＭＳ）方式により前記位置決定装置（ＰＤＥ）のＵＲＬを送信することを特徴とする請求項４に記載のＤＢＭ方式又はＴＣＰ／ＩＰ方式を選択的に使用する位置情報提供方法。
【請求項７】
前記サーバが前記モバイル位置センタ（ＭＰＣ）へ送信する情報は、
位置情報の提供に関する情報を含む情報であることを特徴とする請求項１又は２に記載のＤＢＭ方式又はＴＣＰ／ＩＰ方式を選択的に使用する位置情報提供方法。
【請求項８】
前記モバイル位置センタ（ＭＰＣ）が前記ホーム位置レジスタ（ＨＬＲ）に要求する情報は、
前記位置情報取得対象の移動局（ＭＳ）を特定する情報及び当該移動局（ＭＳ）を管轄する移動通信交換局（ＭＳＣ）に関する情報を含むことを特徴とする請求項１又は２に記載のＤＢＭ方式又はＴＣＰ／ＩＰ方式を選択的に使用する位置情報提供方法。
【請求項９】
前記ホーム位置レジスタ（ＨＬＲ）から応答を受信した前記モバイル位置センタ（ＭＰＣ）が前記位置決定装置（ＰＤＥ）へ送信する情報に含まれる前記所定の情報は、
前記サーバが使用を決定した方式に関する情報及び前記位置情報取得対象の移動局（ＭＳ）を管轄する移動通信交換局（ＭＳＣ）に関する情報を含むことを特徴とする請求項１又は２に記載のＤＢＭ方式又はＴＣＰ／ＩＰ方式を選択的に使用する位置情報提供方法。
【請求項１０】
前記位置決定装置（ＰＤＥ）が、前記サーバが使用を決定した方式によって前記位置情報取得対象の移動局（ＭＳ）の位置情報を当該移動局（ＭＳ）から取得するステップは、  前記サーバが使用を決定した方式がＤＢＭ方式である場合は、前記モバイル位置センタ（ＭＰＣ）が送信した情報を受信した前記位置決定装置（ＰＤＥ）が前記位置情報取得対象の移動局（ＭＳ）の位置情報を当該移動局（ＭＳ）に要求するステップと、
前記位置情報取得対象の移動局（ＭＳ）が、位置情報を要求されたことに応じて自身の位置情報を前記位置決定装置（ＰＤＥ）へ送信するステップと
を含むことを特徴とする請求項１又は２に記載のＤＢＭ方式又はＴＣＰ／ＩＰ方式を選択的に使用する位置情報提供方法。
【請求項１１】
前記位置決定装置（ＰＤＥ）と前記位置情報取得対象の移動局（ＭＳ）との間での情報の送受は、ショートメッセージサービス（ＳＭＳ）方式によりIS-801-1規格に従ってなされることを特徴とする請求項１０に記載のＤＢＭ方式及びＴＣＰ／ＩＰ方式のプロトコル併用の位置情報提供方法。
【請求項１２】
前記位置決定装置（ＰＤＥ）が、前記サーバが使用を決定した方式によって前記位置情報取得対象の移動局（ＭＳ）の位置情報を当該移動局（ＭＳ）から取得するステップは、  前記サーバが使用を決定した方式がＴＣＰ／ＩＰ方式である場合は、前記サーバから前記位置決定装置（ＰＤＥ）のＵＲＬが送信される前記位置情報取得対象の移動局（ＭＳ）が前記送信されたＵＲＬを用いて前記位置決定装置（ＰＤＥ）に接続するステップと、
前記位置情報取得対象の移動局（ＭＳ）が、前記送信されたＵＲＬを用いて自身の位置情報を前記位置決定装置（ＰＤＥ）へ送信するステップと
を含むことを特徴とする請求項１又は２に記載のＤＢＭ方式又はＴＣＰ／ＩＰ方式を選択的に使用する位置情報提供方法。
【請求項１３】
前記サーバから前記位置決定装置（ＰＤＥ）のＵＲＬが送信される前記位置情報取得対象の移動局（ＭＳ）が前記送信されたＵＲＬを用いて前記位置決定装置（ＰＤＥ）に接続するステップは、
該ステップが実行される時点まで前記モバイル位置センタ（ＭＰＣ）が送信した情報を受信した位置決定装置（ＰＤＥ）が前記位置情報取得対象の移動局（ＭＳ）による前記位置決定装置（ＰＤＥ）のＵＲＬを用いた接続を待機するステップを含むことを特徴とする請求項１２に記載のＤＢＭ方式又はＴＣＰ／ＩＰ方式を選択的に使用する位置情報提供方法。
【請求項１４】
前記位置情報取得対象の移動局（ＭＳ）が、前記送信されたＵＲＬを用いて自身の位置情報を前記位置決定装置（ＰＤＥ）へ送信するステップは、
前記位置決定装置（ＰＤＥ）に接続した前記位置情報取得対象の移動局（ＭＳ）の位置情報を前記位置決定装置（ＰＤＥ）が当該移動局（ＭＳ）に要求するステップと、
前記位置情報取得対象の移動局（ＭＳ）が前記位置決定装置（ＰＤＥ）からの要求に応じて自身の位置情報を前記位置決定装置（ＰＤＥ）へ送信するステップと
を含むことを特徴とする請求項１２に記載のＤＢＭ方式又はＴＣＰ／ＩＰ方式を選択的に使用する位置情報提供方法。
【請求項１５】
前記位置決定装置（ＰＤＥ）と前記位置情報取得対象の移動局（ＭＳ）との間での情報の送受は、ＴＣＰ／ＩＰ方式によりIS-801-1の規格に従ってなされることを特徴とする請求項１２乃至１４のいずれかに記載のＤＢＭ方式又はＴＣＰ／ＩＰ方式を選択的に使用する位置情報提供方法。
【請求項１６】
前記位置決定装置（ＰＤＥ）が、前記位置情報取得対象の移動局（ＭＳ）から取得した位置情報を前記モバイル位置センタ（ＭＰＣ）を経て前記サーバへ送信するステップが実行された後に、
前記サーバが、受信した前記位置情報取得対象の移動局（ＭＳ）の位置情報を用いて、前記位置情報取得要求を発した端末機が要求した位置情報を提供するステップを更に含むことを特徴とする請求項１又は２に記載のＤＢＭ方式又はＴＣＰ／ＩＰ方式を選択的に使用する位置情報提供方法。
【発明の詳細な説明】
【技術分野】
【０００１】
本発明は、移動通信網で提供される位置情報サービス（LBS:Location Based Service) を利用するためにＤＢＭ（Data Burst Message) 方式又はＴＣＰ／ＩＰ（Transmission Control Protcol/Internet Protocol) 方式のいずれかを選択的に使用して移動局（ＭＳ:Mobile Station)、たとえば携帯電話機，ＰＤＡ（Personal Digital Assistant) 等の移動端末の位置情報、具体的にはその移動端末がその時点で位置している地理的情報を提供する方法に関する。より具体的には、携帯電話機，ＰＤＡ等の端末機からクライアントサーバを通じてある移動端末に関する位置情報取得の要求が発せられた場合に、クライアントサーバがＤＢＭ方式とＴＣＰ／ＩＰ方式との内のいずれか適宜の方式を選択し、位置情報が要求されている移動端末の位置情報を選択した方式によって取得して位置情報取得の要求を発した端末機に提供する方法に関する。
【背景技術】
【０００２】
従来、移動端末の位置情報を提供するためのサービスには種々の方式が用いられている。従来において最初に提供された方式はセル基準の位置情報提供方式であった（たとえば、特許文献１参照）。この方式では、移動端末を管轄する基地局の位置を基準として位置情報を提供していた。従って、セル基準の位置情報提供サービスでは、基地局半径（セル半径）範囲の精度で位置情報を提供することになる。しかし、これでは基地局半径範囲の誤差を伴った位置情報が提供されることになるので、誤差が大きくなり、正確な位置情報を必要とする場合には使用することができない。
【０００３】
このようなセル基準の位置情報提供方式の問題点を克服して正確な位置情報を提供するためにＧＰＳ(Global Positioning System) 方式が使用されるようになってきた。これは、衛星を利用して位置情報を提供する方式であり、位置情報が要求されている移動端末の正確な位置情報検出することが可能になり、そのような正確な位置情報を提供することにより、多様な位置情報サービスを提供できるようになった（たとえば、特許文献２参照）。
【０００４】
このようなＧＰＳ方式が移動端末及び移動通信網に適用されることにより、位置情報取得対象の移動端末の位置を迅速・正確に把握することが可能になった。ところで、ＧＰＳを使用して位置情報を得た位置情報取得対象の移動端末から移動通信網を利用して位置情報を取得する方式には、ＤＢＭ方式とＴＣＰ／ＩＰ方式とがある。これらの二つの方式の内のまずＤＢＭ方式について説明する。
【０００５】
ＤＢＭ方式は、位置情報取得対象の移動端末の位置を認識するために、位置決定装置（ＰＤＥ:Positioning Determination Entity)と当該移動端末との間でIS-801-1規格に基づいてショートメッセージサービス（ＳＭＳ:Short Message Service) 方式による通信が行なわれ、その結果、位置決定装置（ＰＤＥ）は位置情報取得対象の移動端末の位置情報を得ることができる。このようなＤＢＭ方式は、位置情報取得対象の移動端末が通話中である場合又は待機モードである場合においても位置情報サービスの提供が可能であるので、サービス提供範囲が広いという長所がある。しかし、ＳＭＳ方式を基にして位置情報取得対象の移動端末の位置を把握するようにしているので、位置決定装置と移動端末との間でＳＭＳ方式による多量の通信を行なう必要があるが、ＳＭＳ方式が有する根本的な限界であるデータ転送容量の面から位置情報取得対象の移動端末の位置を把握するために長時間を要するという問題点がある。
【０００６】
他の方式であるＴＣＰ／ＩＰ方式では、位置決定装置と位置情報取得対象の移動端末との間の送受信により位置決定装置が位置情報取得対象の移動端末の位置情報を得ることができる。ＴＣＰ／ＩＰ方式では、データ転送容量に制限がないので位置情報取得対象の移動端末の位置情報を得るために要する時間は短い。しかし、位置情報取得対象の移動端末が通話中である場合は、モデムでデータと音声とを同時に送信する技術であるＳＶＤ(Simultaneous Voice and Data) サービスが未だ実現されていない状況においては、音声通話が途切れるという問題点がある。
【特許文献１】特開平１１−０２７７４５号公報
【特許文献２】特開２００２−１４９７７０号公報
【発明の開示】
【発明が解決しようとする課題】
【０００７】
本発明は上述した問題点の解決のためになされたものであり、主たる目的は、移動通信網によるＧＰＳに基づく移動局の位置情報を提供する位置情報サービスの利用に際して、ＤＢＭ方式とＴＣＰ／ＩＰ方式とを選択的に使用して位置情報取得対象の移動局から位置情報を取得することにより、移動局の位置情報をより迅速で正確に提供する方法の提供にある。
【課題を解決するための手段】
【０００８】
上述の目的を達成するために、本発明では基本的には、サーバと、モバイル位置センタ（ＭＰＣ）と、ホーム位置レジスタ（ＨＬＲ）と、位置決定装置（ＰＤＥ）とを含む移動通信網を介して、位置情報取得対象の移動局（ＭＳ）のＧＰＳに基づく位置情報をＤＢＭ方式又はＴＣＰ／ＩＰ方式を選択的に使用して取得し、位置情報取得要求を発した端末機に提供する方法において、（１）前記位置情報の提供を受けるために、前記位置情報取得要求を発した端末機が前記サーバに接続するステップと、（２）前記サーバが、ＤＢＭ方式又はＴＣＰ／ＩＰ方式のいずれを使用して前記位置情報取得対象の移動局（ＭＳ）の位置情報を取得するかを決定するステップと、（３）前記サーバが、ＴＣＰ／ＩＰ方式の使用を決定した場合は、前記位置情報取得対象の移動局（ＭＳ）へ前記位置決定装置（ＰＤＥ）のＵＲＬを送信し、その後ＴＣＰ／ＩＰ方式を使用する旨の信号を前記モバイル位置センタ（ＭＰＣ）へ送信し、ＤＢＭ方式の使用を決定した場合は、ＤＢＭ方式を使用する旨の信号を前記モバイル位置センタ（ＭＰＣ）へ送信するステップと、（４）前記モバイル位置センタ（ＭＰＣ）が、前記ホーム位置レジスタ（ＨＬＲ）に前記位置情報取得対象の移動局（ＭＳ）に関する情報を要求する信号を送信し、その応答を受信するステップと、（５）応答を受信した前記モバイル位置センタ（ＭＰＣ）が、前記位置決定装置（ＰＤＥ）へ所定の情報を含む情報を送信するステップと、（６）前記位置決定装置（ＰＤＥ）が、前記サーバが使用を決定した方式によって前記位置情報取得対象の移動局（ＭＳ）の位置情報を当該移動局（ＭＳ）から取得するステップと、（７）前記位置決定装置（ＰＤＥ）が、取得した前記位置情報取得対象の移動局（ＭＳ）の位置情報を前記モバイル位置センタ（ＭＰＣ）を経て前記サーバへ送信するステップと、を含むことを特徴とする。
【０００９】
このような本発明のＤＢＭ方式又はＴＣＰ／ＩＰ方式を選択的に使用する位置情報提供方法では、位置情報取得要求を発した端末機がサーバと接続すると、サーバはＤＢＭ方式とＴＣＰ／ＩＰ方式との内のいずれを使用して位置情報取得対象の移動局（ＭＳ）から位置情報を取得するかを決定する。そして、ＴＣＰ／ＩＰ方式のプロトコルを使用すると決定した場合は、サーバから位置情報取得対象の移動局（ＭＳ）へ位置決定装置（ＰＤＥ）のＵＲＬが送信され、モバイル位置センタ（ＭＰＣ）を通じてホーム位置レジスタ（ＨＬＲ）から位置情報取得対象の移動局（ＭＳ）に関する情報が取得される。一方、ＤＢＭ方式を使用することが決定された場合は、そのままモバイル位置センタ（ＭＰＣ）を通じてホーム位置レジスタ（ＨＬＲ）から位置情報取得対象の移動局（ＭＳ）に関する情報が取得される。そしていずれの場合も、このようにして得られた情報に従って、位置情報取得対象の移動局（ＭＳ）と位置決定装置（ＰＤＥ）との間でサーバが決定した方式により通信を行なって位置情報取得対象の移動局（ＭＳ）の位置情報が得られる。その後、得られた位置情報は、モバイル位置センタ（ＭＰＣ）経由でサーバへ送信される。
【００１０】
なお、ＤＢＭ方式又はＴＣＰ／ＩＰ方式のいずれが使用されるかは、種々の条件が考えられるが、本発明においては一例として、位置情報取得対象の移動局（ＭＳ）と位置取得要求を発した端末機とが同一の装置（たとえば同一の携帯電話機）である場合にはＴＣＰ／ＩＰ方式を使用し、両者が同一でない場合にはＤＢＭ方式を使用するようにサーバによる決定がなされる。
【００１１】
また、上述の（３）前記サーバが、ＴＣＰ／ＩＰ方式の使用を決定した場合は、前記位置情報取得対象の移動局（ＭＳ）へ前記位置決定装置（ＰＤＥ）のＵＲＬを送信し、その後ＴＣＰ／ＩＰ方式を使用する旨の信号を前記モバイル位置センタ（ＭＰＣ）へ送信し、ＤＢＭ方式の使用を決定した場合は、ＤＢＭ方式を使用する旨の信号を前記モバイル位置センタ（ＭＰＣ）へ送信するステップにおいて、前記位置情報取得対象の移動局（ＭＳ）へ前記位置決定装置（ＰＤＥ）のＵＲＬを送信し、その後ＴＣＰ／ＩＰ方式を使用する旨の信号を前記モバイル位置センタ（ＭＰＣ）へ送信する代わりに、ＴＣＰ／ＩＰ方式を使用する旨の信号を前記モバイル位置センタ（ＭＰＣ）へ送信し、その後前記位置情報取得対象の移動局（ＭＳ）へ前記位置決定装置（ＰＤＥ）のＵＲＬを送信するようにしてもよい。
【発明の効果】
【００１２】
以上のような本発明のＤＢＭ方式又はＴＣＰ／ＩＰ方式を選択的に使用する位置情報提供方法によれば、状況に応じてＤＢＭ方式又はＴＣＰ／ＩＰ方式を使用して位置情報取得対象の移動局の位置情報を取得し、位置情報取得要求を発した端末機に提供するようにしているので、位置情報取得対象の移動局の位置情報が位置情報取得要求を発した端末機に提供されるまでの所要時間を短縮させることができると共に、位置情報取得対象の移動局が通話中，待機モードである場合にも位置情報サービスの提供が可能になる。
【発明を実施するための最良の形態】
【００１３】
以下、本発明に係るＤＢＭ方式又はＴＣＰ／ＩＰ方式を選択的に使用する位置情報提供方法について図面を参照して説明する。
【００１４】
図１は本発明に係るＤＢＭ方式又はＴＣＰ／ＩＰ方式を選択的に使用する位置情報提供方法の処理手順を示すフローチャート、図２は本発明に係るＤＢＭ方式又はＴＣＰ／ＩＰ方式を選択的に使用する位置情報提供方法の内のＤＢＭ方式により位置情報を提供する場合のメッセージの流れを示すタイミングチャート、及び図３は本発明に係るＤＢＭ方式又はＴＣＰ／ＩＰ方式を選択的に使用する位置情報提供方法の内のＴＣＰ／ＩＰ方式により位置情報を提供する場合のメッセージの流れを示すタイミングチャートである。
【００１５】
図１のフローチャートを参照して本発明のＤＢＭ方式又はＴＣＰ／ＩＰ方式を選択的に使用する位置情報提供方法を説明すると、本発明は移動通信網においてＤＢＭ方式とＴＣＰ／ＩＰ方式とを選択的に使用して、ＧＰＳに基づく位置情報を位置情報取得対象の移動端末（移動局）から取得する方法であって、位置情報取得要求を発した端末機からクライアントサーバに接続するステップ（Ｓ１）と、クライアントサーバで加入者認証及びＤＢＭ方式とＴＣＰ／ＩＰ方式との内のいずれの方式を使用するかを決定するステップ（Ｓ２）と、クライアントサーバがＴＣＰ／ＩＰ方式を使用すると決定した場合に（Ｓ３：ＹＥＳ）、クライアントサーバから位置情報取得対象の移動端末（ＭＳ）へ位置決定装置（ＰＤＥ:Positioning Determination Entity)のＵＲＬを転送するステップ（Ｓ３−１）と、ＴＣＰ／ＩＰ方式を使用する旨の情報を含んだ位置情報要求信号をモバイル位置センタ（ＭＰＣ）へ送信するステップ（Ｓ４−１）と、先のステップＳ３においてクライアントサーバがＤＢＭ方式を使用すると決定した場合に（Ｓ３：ＮＯ）、ＤＢＭ方式を使用する旨の情報を含んだ位置情報要求信号をモバイル位置センタ（ＭＰＣ）へ送信するステップ（Ｓ４）と、モバイル位置センタ（ＭＰＣ）がホーム位置レジスタ（ＨＬＲ）へ位置情報取得対象の移動端末（ＭＳ）を管轄する移動通信交換局（ＭＳＣ) の情報を要求する信号を送信し、その応答を受信するステップ（Ｓ５，Ｓ５−１）と、この応答を受信したモバイル位置センタ（ＭＰＣ）が位置決定装置（ＰＤＥ）へ使用する方式（ＤＢＭ方式又はＰＣＴ／ＩＰ方式）に関する情報及び位置情報取得対象の移動端末（ＭＳ）を管轄する移動通信交換局（ＭＳＣ) の情報を含んだ位置情報要求信号を送信するステップ（Ｓ６，Ｓ６−１）と、使用することが決定された方式によって位置決定装置（ＰＤＥ）が位置情報取得対象の移動端末（ＭＳ）から位置情報（ＧＰＳ情報）を取得するステップ（Ｓ７，Ｓ７−１）と、このようにして取得した位置情報取得対象の移動端末（ＭＳ）の位置情報（ＧＰＳ情報）を位置決定装置（ＰＤＥ）がモバイル位置センタ（ＭＰＣ）を経てクライアントサーバへ送信するステップ（Ｓ８，Ｓ８−１）と、クライアントサーバが位置情報（ＧＰＳ情報）を利用して位置情報取得要求を発した端末機に位置情報サービスを提供するステップ（Ｓ９，Ｓ９−１）と、を含んでいる。
【００１６】
以下、図２及び図３をも参照して各ステップを詳細に説明する。加入者は自身の端末機（図示せず、但し位置情報取得対象の移動端末と同一の移動端末であってもよい）を使用してまず移動通信網のクライアントサーバ１０に接続し（Ｓ１）、位置情報を知りたい移動局、即ち位置情報取得対象の移動端末（ＭＳ）６０を指定して位置情報の取得を要求する。この場合、加入者の端末機（以下、位置情報取得要求を発した端末機という）はクライアントサーバ１０にＷＡＰ (Wireless Application Protocol:ワップ）方式のプロトコル又はそれに準ずる方式のプロトコルを用いて移動通信網上のクライアントサーバ１０に接続する。なお、位置情報取得要求を発した端末機はＷＡＰ方式のプロトコルを使用することができる移動電話機，ＰＤＡ（Personal Digital Assistant）又はこれらに準ずる能力を有する端末であればよい。
【００１７】
このようにして位置情報取得要求を発した端末機が位置情報取得対象の移動端末（ＭＳ）６０を指定してクライアントサーバ１０に対して位置情報の取得を要求した場合、クライアントサーバ１０は位置情報取得要求を発した端末機の認証及びこの位置情報サービスに対する認証を行なうと共に、この位置情報サービスをＤＢＭ方式とＴＣＰ／ＩＰ方式との内のいずれの方式を使用して提供するかを決定する（ステップＳ２）。
【００１８】
位置情報取得要求を発している端末機の認証及び位置情報サービスに対する認証は、このサービスを利用することが可能であるか否かを確認するために行なわれ、この位置情報サービスを受けることができない場合、又はこの位置情報サービスに加入していない場合には以降の手続は行なわれない。
【００１９】
クライアントサーバ１０でＤＢＭ方式とＴＣＰ／ＩＰ方式とのいずれの方式を使用するかを決定する場合の基準には種々の条件があるが、本実施の形態においてはクライアントサーバ１０に接続して位置情報取得の要求を発する端末機と位置情報取得対象の移動端末（ＭＳ）６０とが同一である場合には、ＴＣＰ／ＩＰ方式が使用され、そうでない場合にはＤＢＭ方式が使用される。
【００２０】
上述のように基準を決める理由は、移動端末に対するＳＶＤ(Simultaneous Voice and Data) サービスが実現されていない状況では、移動端末の通話中にＴＣＰ／ＩＰ方式による通信を行なうと通話が途切れるという問題があるためである。また、ＴＣＰ／ＩＰ方式のプロトコルによる位置情報の提供時には、クライアントサーバ１０が位置情報取得要求を発している端末機へ位置決定装置（ＰＤＥ）４０のＵＲＬを送信してコールバックする必要があるが、ＴＣＰ／ＩＰ方式を使用する場合には既に位置情報取得要求を発している端末機が位置情報取得対象の移動端末（ＭＳ）６０（この場合は位置情報取得要求を発している端末機自身）の位置情報の取得を要求するためにクライアントサーバ１０に接続されているので、その接続された通信チャンネルを使用して位置決定装置（ＰＤＥ）４０のＵＲＬを送信すればよいという理由もある。
【００２１】
上述のような基準とは異なる他の基準を採用することも可能であり、接続された通信チャンネルを通じて位置決定装置（ＰＤＥ）４０のＵＲＬを通知する方式以外に、たとえば別の通信チャンネルを使用することも可能であり、またＳＭＳ方式を使用して位置決定装置（ＰＤＥ）４０のＵＲＬを通知することも可能である。
【００２２】
前述したようにクライアントサーバ１０によって位置情報取得要求を発している端末機の認証及びいずれの方式で位置情報を提供するかが決定されるが、ＴＣＰ／ＩＰ方式の使用が決定された場合には、クライアントサーバ１０は位置情報取得対象の移動端末（ＭＳ）６０（位置情報取得要求を発している端末機と同一）へ位置決定装置（ＰＤＥ）４０のＵＲＬを転送し（ステップＳ３−１）、ＴＣＰ／ＩＰ方式を使用する旨の情報を含むLocation Request信号をモバイル位置センタ（ＭＰＣ）２０へ送信し（ステップＳ４−１，Ｓ１００）、ＤＢＭ方式に決定された場合には、ＤＢＭ方式を使用する旨の情報を含むLocation Request信号をモバイル位置センタ（ＭＰＣ）２０へ送信する（ステップＳ４，Ｓ１０）。
【００２３】
図１を参照すると、ＴＣＰ／ＩＰ方式の使用が決定された場合にはクライアントサーバ１０が位置情報取得対象の移動端末（ＭＳ）６０（位置情報取得要求を発している端末機と同一）へ位置決定装置（ＰＤＥ）４０のＵＲＬを転送するステップＳ３−１が、ＴＣＰ／ＩＰ方式のプロトコルを使用する旨の情報を含むLocation Request信号をモバイル位置センタ（ＭＰＣ）２０へ転送するステップＳ４−１よりも先に実行されるように示してある。しかし、ステップＳ３−１とステップＳ４−１とを同時的に実行するか、ステップＳ４−１をステップＳ３−１よりも先に実行するようにすることも可能である。上述したように、ステップＳ３−１において位置情報取得対象の移動端末（ＭＳ）６０へ位置決定装置（ＰＤＥ）４０のＵＲＬが転送される理由は、後述するステップＳ７−１又はＳ５００において位置決定装置（ＰＤＥ）４０が位置情報取得対象の移動端末（ＭＳ）６０から位置情報（ＧＰＳ情報）を得る際に、先に位置決定装置（ＰＤＥ）４０が位置情報取得対象の移動端末（ＭＳ）６０に対して位置情報（ＧＰＳ情報）を要求するのではなく、位置情報取得要求を発している端末機と同一の位置情報取得対象の移動端末（ＭＳ）６０が上述のＵＲＬに対するコールバック方式で先に位置決定装置（ＰＤＥ）４０に接続するためである。
【００２４】
クライアントサーバ１０によって送信された位置決定装置（ＰＤＥ）４０のＵＲＬは、種々の方式によって位置情報取得対象の移動端末（ＭＳ）６０へ送信することができる。即ち、ＳＭＳ方式により送信することも可能であるが、本実施の形態ではＴＣＰ／ＩＰ方式により位置情報（ＧＰＳ情報）が提供される場合は、位置情報取得要求を発した端末機と位置情報（ＧＰＳ情報）が要求される位置情報取得対象の移動端末（ＭＳ）６０とが同一である場合を意味しているので、位置情報取得要求を発した端末機を通じてクライアントサーバ１０にＷＡＰ方式のプロトコルによって接続した通信チャンネルを用いて位置情報取得要求を発した端末機へ位置決定装置（ＰＤＥ）４０のＵＲＬを通知するようにする。
【００２５】
ステップＳ４又はＳ４−１の後、前述したLocation Request信号の送信を受けたモバイル位置センタ（ＭＰＣ）２０はホーム位置レジスタ（ＨＬＲ）３０へ位置情報取得対象の移動端末（ＭＳ）６０の位置情報（ＧＰＳ情報）を要求する SMREQ信号を送信する（ステップＳ２０，Ｓ２００）。この SMREQ信号を受信したホーム位置レジスタ（ＨＬＲ）３０はそれぞれの情報に対する応答を盛り込んだ smreq信号をモバイル位置センタ（ＭＰＣ）２０へ返送する（ステップＳ３０，Ｓ３００）。
【００２６】
ホーム位置レジスタ（ＨＬＲ）３０が SMREQ信号を受信した後、モバイル位置センタ（ＭＰＣ）２０は位置決定装置（ＰＤＥ）４０へ GPOSREQ信号を送信する（ステップＳ４０，Ｓ４００，Ｓ６，Ｓ６−１）。この GPOSREQ信号には、決定された方式を示す情報と位置情報取得対象の移動端末（ＭＳ）６０に対する情報としてその移動端末の交換機関連情報等が含まれている（ＰＯＳＲＥＱＴＹＰＥ：Position Request Type,ＥＳＮ:Elecrtonic Serial, ＭＩＮ：Mobile Identification Number, ＭＳＣＩＤ：Mobile Switching Center ID) 。
【００２７】
GPOSREQ信号を受信した位置決定装置（ＰＤＥ）４０は、先にクライアントサーバ１０により決定された方式（ＤＢＭ方式又はＴＣＰ／ＩＰ方式）によって位置情報取得対象の移動端末（ＭＳ）６０の位置情報（ＧＰＳ情報）を受信する（ステップＳ５０，Ｓ５００，Ｓ７，Ｓ７−１）。位置決定装置（ＰＤＥ）４０と位置情報取得対象の移動端末（ＭＳ）６０との間の信号の送受信は、先にクライアントサーバ１０が決定した方式によって異なるので、以下にそれぞれの方式の場合について説明する。
【００２８】
まずＤＢＭ方式によってなされる位置情報（ＧＰＳ情報）の送受信は、位置情報取得対象の移動端末（ＭＳ）６０の位置情報（ＧＰＳ情報）をＳＭＳ方式を使用して移動端末（ＭＳ）６０から位置決定装置（ＰＤＥ）４０へ送信する方式である。即ち、基地局（ＢＴＳ:Base Transceiver Station)／基地局制御装置（ＢＳＣ:Base Station Controller)/移動通信交換局（ＭＳＣ:Mobile Switching Center) ７０を通じて SMDPPメッセージを用いて位置決定装置（ＰＤＥ）４０が位置情報取得対象の移動端末（ＭＳ）６０に対して位置情報（ＧＰＳ情報）を要求し、この要求を受けた位置情報取得対象の移動端末（ＭＳ）６０が応答する。このＤＢＭ方式による位置決定装置（ＰＤＥ）４０と位置情報取得対象の移動端末（ＭＳ）６０との間の情報送受信はIS-801-1規格に従う。
【００２９】
一方、ＴＣＰ／ＩＰ方式のプロトコルによってなされる位置情報取得対象の移動端末（ＭＳ）６０の位置情報（ＧＰＳ情報）の送受信は、ステップＳ３−１において位置情報取得対象の移動端末（ＭＳ）６０へ送信された位置決定装置（ＰＤＥ）４０のＵＲＬを通じて、位置情報取得対象の移動端末（ＭＳ）６０が位置決定装置（ＰＤＥ）４０に接続されていることにより実行される。即ち、ＴＣＰ／ＩＰ方式では、位置決定装置（ＰＤＥ）４０のＵＲＬを受信した位置情報取得対象の移動端末（ＭＳ）６０が基地局（ＢＴＳ:Base Transceiver Station)／基地局制御装置（ＢＳＣ:Base Station Controller)/パケットデータサービスノード（ＰＤＳＮ:Packet Data Service Node)８０を通じて、ＴＣＰ／ＩＰ方式で位置決定装置（ＰＤＥ）４０に接続し、位置決定装置（ＰＤＥ）４０へ位置情報（ＧＰＳ情報）を送信する。このため、ＴＣＰ／ＩＰ方式を使用する場合はＤＢＭ方式とは異なり、位置決定装置（ＰＤＥ）４０は GPOSREQ信号を受信した後にも位置情報取得対象の移動端末（ＭＳ）６０からの位置決定装置（ＰＤＥ）４０のＵＲＬを用いたコールバックを待つことになるので、 GPOSREQ信号が位置決定装置（ＰＤＥ）４０に受信された場合、そのままＳＭＳ方式によって位置情報取得対象の移動端末（ＭＳ）６０と情報を交換するＤＢＭ方式とは異なる。このＴＣＰ／ＩＰ方式で行なわれる位置決定装置（ＰＤＥ）４０と位置情報取得対象の移動端末（ＭＳ）６０との間の情報の送受信もＤＢＭ方式と同様に IS-801-1 規格に従う。
【００３０】
位置情報取得対象の移動端末（ＭＳ）６０が位置決定装置（ＰＤＥ）４０に接続した後に位置情報（ＧＰＳ情報）を送信する際には、位置決定装置（ＰＤＥ）４０からの位置情報（ＧＰＳ情報）の要求により送信するように構成することもでき、位置情報取得対象の移動端末（ＭＳ）６０がコールバックによって位置決定装置（ＰＤＥ）４０に接続した後、又は接続と同時に位置情報（ＧＰＳ情報）を送信するように構成することもできる。
【００３１】
以上のように、クライアントサーバ１０によって決定された異なる方式で取得した位置情報（ＧＰＳ情報）を、位置決定装置（ＰＤＥ）４０がモバイル位置センタ（ＭＰＣ）２０へ gposreq応答信号を送信することにより（ステップＳ６０，Ｓ６００，Ｓ８，Ｓ８−１）、またモバイル位置センタ（ＭＰＣ）２０がLocation Request信号をクライアントサーバ１０へ送信することにより（ステップＳ７０，Ｓ７００，Ｓ８，Ｓ８−１）、それぞれ送信する。クライアントサーバ１０は位置情報取得対象の移動端末（ＭＳ）６０の位置情報（ＧＰＳ情報）を受信した後、位置情報取得要求を発している端末機から要求されているサービスに合うように位置情報（ＧＰＳ情報）を用いて位置情報サービスを提供する（ステップＳ９，Ｓ９−１）。
【００３２】
なお、 gposreq応答信号には位置情報取得対象の移動端末（ＭＳ）６０の位置情報等が含まれている（ＰＯＳＩＮＦＯ：Psition Information,ＰＯＳＲＥＳＵＬＴ：Position Result)。
【図面の簡単な説明】
【００３３】
【図１】本発明に係るＤＢＭ方式又はＴＣＰ／ＩＰ方式を選択的に使用する位置情報提供方法の処理手順を示すフローチャートである。
【図２】本発明に係るＤＢＭ方式又はＴＣＰ／ＩＰ方式を選択的に使用する位置情報提供方法の内のＤＢＭ方式により位置情報を提供する場合のメッセージの流れを示すタイミングチャートである。
【図３】本発明に係るＤＢＭ方式又はＴＣＰ／ＩＰ方式を選択的に使用する位置情報提供方法の内のＴＣＰ／ＩＰ方式により位置情報を提供する場合のメッセージの流れを示すタイミングチャートである。
【符号の説明】
【００３４】
１０：クライアントサーバ
２０：モバイル位置センタ（ＭＰＣ:Mobile Positioning Center）
３０：ホーム位置レジスタ（ＨＬＲ:Home Location Register)
４０：位置決定装置（ＰＤＥ:Position Determination Entity) 
６０：移動端末（ＭＳ:Mobile Station)
７０：基地局／基地局制御装置／移動通信交換局（ＢＴＳ:Base Transceiver Station/        ＢＳＣ:Base Station Controller／ＭＳＣ:Mobile Switching Center）
８０：基地局／基地局制御装置／パケットデータサービスノード（ＢＴＳ:Base Transc        eiver Station/ＢＳＣ:Base Station Controller/ ＰＤＳＮ:Packet Data Servi        ce Node)
【図１】
0003723560.tif 000002
【図２】
0003723560.tif 000003
【図３】
0003723560.tif 000004